(57)【要約】      （修正有）【課題】ファスナテープを有するスライドファスナを布地に縫った後に、布地にしわが生じることを効果的に防ぐことができる。【解決手段】ファスナテープ１０、スライドファスナおよびスライドファスナが固定された布地を提供するものであり、当該ファスナテープは、ファスナエレメント２０を装着するための装着部１、布地を縫うための縫い部２を備えており、装着部と縫い部の隣接する辺は一体に連結しており、装着部の縫い部から遠く離間した辺はファスナエレメントを装着するためのファスナエレメント装着辺であり、縫い部は平織り組織である。当該ファスナテープ、スライドファスナおよびスライドファスナが固定された布地は、そのファスナテープの装着部と縫い部が異なる編み方式を採用しており、縫い部は平織り組織であり、経糸と緯糸の位置ズレを防ぐと同時に、ファスナテープの剛性を高めている。【選択図】図１
2016209587.tif 000002
【特許請求の範囲】
【請求項１】
ファスナテープであって、
前記ファスナテープ（１０）はファスナエレメント（２０）を装着するための装着部（１）、布地を縫うための縫い部（２）を備えており、
前記装着部（１）と縫い部（２）の隣接する辺は一体に連結しており、
前記装着部（１）の縫い部（２）から遠く離間した辺はファスナエレメント（２０）を装着するためのファスナエレメント装着辺（１４）であり、
前記縫い部（２）は平織り組織であることを特徴とするファスナテープ。
【請求項２】
請求項１に記載のファスナテープにおいて、
前記ファスナテープ（１０）はさらに端部（３）を備えており、
前記端部（３）は前記縫い部（２）の装着部（１）から遠く離間した側に位置しており、
前記端部（３）と縫い部（２）の隣接する辺は一体に連結していることを特徴とするファスナテープ。
【請求項３】
請求項２に記載のファスナテープにおいて、
前記装着部（１）、縫い部（２）および端部（３）は、ファスナエレメント装着辺（１４）に垂直な方向に沿う幅の割合が５：４：３となっていることを特徴とするファスナテープ。
【請求項４】
請求項２に記載のファスナテープにおいて、
前記端部（３）は平織り組織であることを特徴とするファスナテープ。
【請求項５】
請求項２に記載のファスナテープにおいて、
前記端部（３）は端部エッジセグメント（３１）および端部遷移セグメント（３２）を備えており、
前記端部遷移セグメント（３２）は縫い部（２）と端部エッジセグメント（３１）との間に位置しており、
前記端部遷移セグメント（３２）は、縫い部（２）、端部エッジセグメント（３１）の隣接する辺と一体に連結しており、
前記端部遷移セグメント（３２）は変化組織であり、前記端部エッジセグメント（３１）は平織り組織であることを特徴とするファスナテープ。
【請求項６】
請求項１に記載のファスナテープにおいて、
前記装着部（１）は綾織り組織であることを特徴とするファスナテープ。
【請求項７】
請求項１に記載のファスナテープにおいて、
前記装着部（１）は装着部縫製セグメント（１１）、装着部中間セグメント（１２）を備えており、
前記装着部中間セグメント（１２）、装着部縫製セグメント（１１）は縫い部（２）から遠く離間した方向に沿って順次配列されており、
前記装着部中間セグメント（１２）と装着部縫製セグメント（１１）、縫い部（２）との間における隣接する辺は一体に連結しており、
前記ファスナエレメント装着辺（１４）は前記装着部縫製セグメント（１１）の装着部中間セグメント（１２）から遠く離間した辺に設けられており、
前記装着部縫製セグメント（１１）は綾織り組織であり、前記装着部中間セグメント（１２）は平織り組織であることを特徴とするファスナテープ。
【請求項８】
請求項１に記載のファスナテープにおいて、
前記装着部（１）は装着部縫製セグメント（１１）、装着部中間セグメント（１２）、装着部遷移セグメント（１３）を備えており、
前記装着部遷移セグメント（１３）、装着部中間セグメント（１２）、装着部縫製セグメント（１１）は縫い部（２）から遠く離間した方向に沿って順次配列されており、
前記装着部縫製セグメント（１１）、装着部中間セグメント（１２）、装着部遷移セグメント（１３）、縫い部（２）の間の隣接する辺は一体に連結しており、
前記ファスナエレメント装着辺（１４）は前記装着部縫製セグメント（１１）の装着部中間セグメント（１２）から遠く離間した辺に設けられており、
前記装着部縫製セグメント（１１）は綾織り組織であり、前記装着部中間セグメント（１２）は平織り組織であり、前記装着部遷移セグメント（１３）は変化組織であることを特徴とするファスナテープ。
【請求項９】
請求項１から８のいずれか１項に記載のファスナテープにおいて、
前記縫い部（２）のファスナエレメント装着辺（１４）に垂直な方向に沿う幅は、前記ファスナテープ（１０）のファスナエレメント装着辺（１４）に垂直な方向に沿う幅の５０％未満であることを特徴とするファスナテープ。
【請求項１０】
請求項１から８のいずれか１項に記載のファスナテープにおいて、
前記縫い部（２）のファスナエレメント装着辺（１４）に垂直な方向に沿う幅が、前記装着部（１）のファスナエレメント装着辺（１４）に垂直な方向に沿う幅よりも小さいことを特徴とするファスナテープ。
【請求項１１】
請求項１から８のいずれか１項に記載のファスナテープにおいて、
前記縫い部（２）の経糸（２１）の直径が緯糸（２２）の直径よりも大きいことを特徴とするファスナテープ。
【請求項１２】
請求項１１に記載のファスナテープにおいて、
前記縫い部（２）の経糸（２１）の直径は、緯糸（２２）の直径の１．５倍から３倍であることを特徴とするファスナテープ。
【請求項１３】
スライドファスナであって、
前記スライドファスナ（１００）は互いに対称な２本の請求項１から１２のいずれか１項に記載のファスナテープ（１０）を備えており、
前記ファスナテープ（１０）の装着部（１）のファスナエレメント装着辺（１４）にはファスナエレメント（２０）が装着されており、
前記２本のファスナエレメント（２０）は互いに対応しかつ噛み合うことが可能であり、
前記２本のファスナエレメント（２０）には２本のファスナエレメント（２０）を動かして開閉させることが可能であるスライダ（３０）がさらに設けられていることを特徴とするスライドファスナ。
【請求項１４】
スライドファスナが固定された布地であって、
前記布地には請求項１３に記載のスライドファスナ（１００）が固定されており、
前記縫い部（２）と布地は互いに重なっておりかつ縫い糸によって縫い合わせられており、
前記ファスナテープ（１０）の最大厚さは前記布地の厚さの６〜１４倍であることを特徴とするスライドファスナが固定された布地。
【発明の詳細な説明】
【技術分野】
【０００１】
本発明は、ファスナテープ、該ファスナテープを備えたスライドファスナ、およびスライドファスナが固定された布地に関する。
【背景技術】
【０００２】
スライドファスナは、通常一対のファスナテープ、ファスナテープに取り付けられた一対のファスナエレメント、および一対のファスナエレメントを互いに噛み合わせるスライダからなる。スライドファスナと服装などの布地とを縫うことは、実質的にファスナテープと布地とを縫うことである。しかし、比較的薄くて柔らかい布地にスライドファスナを縫う場合に、布地自身の剛性が不足しているため、スライドファスナを取り付けた後の布地に褶曲が生じる恐れがある。
【発明の概要】
【発明が解決しようとする課題】
【０００３】
前に述べた従来の技術における欠点に鑑み、本発明の目的はファスナテープ、スライドファスナ、およびスライドファスナが固定された布地を提供することによって従来の技術において布地にスライドファスナを縫った後に、布地自身の剛性が不足しているため、スライドファスナを取り付けた後の布地に褶曲が生じるという問題を解決することにある。
【課題を解決するための手段】
【０００４】
上記目的およびその他の関連目的を実現するために、本発明はファスナテープを提供し、該ファスナテープはファスナエレメントを装着するための装着部、布地を縫うための縫い部を備えており、装着部と縫い部の隣接する辺が一体に連結しており、装着部の縫い部から遠く離間した辺はファスナエレメントを装着するためのファスナエレメント装着辺であり、縫い部は平織り組織である。縫い部を平織り組織とすることによってファスナテープにより優れた剛性を付与することができる。上記の方法で編んだファァスナテープを布地に縫うことにより布地の褶曲現象を改善し、布地に褶曲が生じることを防ぐことができる。
ファスナテープ全体の美しさを高めるために、ファスナテープはさらに端部を備えており、端部が縫い部の装着部から遠く離間した側に位置しており、かつ端部と縫い部の隣接する辺が一体に連結している。
上記装着部、縫い部および端部は、ファスナエレメント装着辺とは垂直な方向に沿う幅の割合が好ましくは５：４：３である。当該割合に設定することにより縫い部の剛性を合理的な範囲に維持し、布地に褶曲が生じることを防ぐ効果をファスナテープにもたせるとともに、ファスナテープの柔軟性を維持し、スライダによりファスナエレメントを開閉する際の滑らかさに大きな影響を与えないようにすることができる。
上記端部は２種類の技術的解決手段がある。具体的には以下のとおりである。
端部の１つ目の技術的解決手段として、端部を平織り組織とする。
端部の２つ目の技術的解決手段として、端部は端部エッジセグメントおよび端部遷移セグメントを備えており、端部遷移セグメントが縫い部と端部エッジセグメントとの間に位置しており、端部遷移セグメントは、縫い部、端部エッジセグメントの隣接する辺と一体に連結しており、端部遷移セグメントは変化組織であり、端部エッジセグメントは平織り組織である。
上記端部の端部エッジセグメントまたは端部全体を平織り組織に設定することにより、例えば位置ずれが発生しないなど、端部をより美しく見せることができる。また、端部遷移セグメントを変化組織に設定することにより端部エッジセグメントと縫い部との間の遷移を容易にすることができる。
上記装着部は３種類の技術的解決手段がある。具体的には以下のとおりである。
装着部の１つ目の技術的解決手段として、装着部を綾織り組織とする。
装着部の２つ目の技術的解決手段として、装着部は装着部縫製セグメント、装着部中間セグメントを備えており、装着部中間セグメント、装着部縫製セグメントは縫い部から遠く離間した方向に沿って順次配列されており、装着部中間セグメントと装着部縫製セグメント、縫い部との間における隣接する辺が一体に連結しており、ファスナエレメント装着辺が装着部縫製セグメントの装着部中間セグメントから遠く離間した辺に設けられており、装着部縫製セグメントは綾織り組織であり、装着部中間セグメントは平織り組織である。
装着部の３つ目の技術的解決手段として、装着部は装着部縫製セグメント、装着部中間セグメント、装着部遷移セグメントを備えており、装着部遷移セグメント、装着部中間セグメント、装着部縫製セグメントは縫い部から遠く離間した方向に沿って順次配列されており、装着部縫製セグメント、装着部中間セグメント、装着部遷移セグメント、縫い部の間の隣接する辺が一体に連結しており、ファスナエレメント装着辺が装着部縫製セグメントの装着部中間セグメントから遠く離間した辺に設けられており、装着部縫製セグメントは綾織り組織であり、装着部中間セグメントは平織り組織であり、装着部遷移セグメントは変化組織である。
上記装着部の装着部縫製セグメントまたは装着部全体を綾織り組織とすることによりファスナエレメントを容易に装着部に縫うことができる。装着部中間セグメントを平織り組織とすることにより経糸と緯糸の位置ズレを防ぐことができる。装着部遷移セグメントを変化組織とすることにより装着部中間セグメントと縫い部との間の遷移を容易にすることができる。
上記技術的解決手段のうちの好ましい解決手段の一つとして、縫い部のファスナエレメント装着辺とは垂直な方向における幅は、ファスナテープのファスナエレメント装着辺とは垂直な方向における幅の５０％未満である。
上記技術的解決手段のうちの好ましい解決手段の一つとして、縫い部のファスナエレメント装着辺とは垂直な方向における幅が、装着部のファスナエレメント装着辺とは垂直な方向における幅よりも小さい。
上記技術的解決手段のうちの好ましい解決手段の一つとして、縫い部の経糸の直径が緯糸の直径よりも大きく、より好ましくは縫い部の経糸の直径が緯糸の直径の１．５倍から３倍である。
上記のように縫い部を制限することによって縫い部の剛性を合理的な範囲に維持し、布地に褶曲が生じることを防ぐ効果をファスナテープにもたせるとともに、ファスナテープの柔軟性を維持し、スライダによりファスナエレメントを開閉する際の滑らかさに大きな影響を与えないようにすることができる。
上記目的およびその他の関連目的を実現するために、本発明はさらにスライドファスナを提供し、スライドファスナが互いに対称な２本の上記ファスナテープを備えており、ファスナテープの装着部のファスナエレメント装着辺にはファスナエレメントが装着されており、２本のファスナエレメントは互いに対応しかつ噛み合うことが可能であり、２本のファスナエレメントには２本のファスナエレメントを開閉させうるスライダがさらに設けられている。
上記目的およびその他の関連目的を実現するために、本発明はさらにスライドファスナが固定された布地を提供し、布地には上記スライドファスナが固定されており、縫い部と布地は互いに重なっておりかつ縫い糸によって縫い合わせられており、ファスナテープの最大厚さは布地の厚さの６〜１４倍である。ファスナテープの最大厚さを布地の厚さの６〜１４倍の範囲内とすることによってスライドファスナを布地に取り付けた後布地に褶曲が生じることを効果的に防ぐことができる。
【発明の効果】
【０００５】
上記をまとめると、本発明のファスナテープ、スライドファスナ、およびスライドファスナが固定された布地は、下記の有益な効果を有する。
該ファスナテープ、スライドファスナ、およびスライドファスナが固定された布地では、ファスナテープの装着部と縫い部が異なる編み方を採用しており、縫い部を平織り組織とすることにより、経糸と緯糸の位置ズレを防ぐと同時に、ファスナテープの剛性を高めており、これによって上記ファスナテープを有するスライドファスナを布地に縫った後に、布地に褶曲が生じることを効果的に防ぐことができる。
【図面の簡単な説明】
【０００６】
【図１】本発明のファスナテープの構造を示す概略図である。
【図２】本発明のファスナテープの他の構造を示す概略図である。
【図３】図２に示すファスナテープの具体的な実施方式を示す概略図である。
【図４】図１から図３に示すファスナテープをスライドファスナに組み立てる概略図である。
【発明を実施するための形態】
【０００７】
以下において特定の具体的な実施例により本発明の実施方法を説明する。当業者は本明細書にて開示された内容から容易に本発明のその他の長所および効果を理解することができる。
【０００８】
図１から図４を参照しながら説明する。本明細書の図面に示す構造、割合、大きさなどは、当業者が理解しやすくかつ読みやすいように、明細書にて開示された内容を説明するためのものであり、本発明の実施可能な限定条件を限定するためのものではなく、技術において実質的な意味を有していない。いかなる構造の修正、比例関係の変更または大きさの調整も、本発明の生じうる効果及び達成可能な目的に影響を及ぼさない場合において、全て本発明にて開示された技術的内容のカバーできる範囲内に含まれる。また、本明細書にて引用した「上」、「下」、「左」、「右」、「中間」および「一」などの用語は、本発明を明確に説明するためのものであって、本発明の実施可能な範囲を限定するためのものではなく、その相対的な関係の変更または調整は、実質的な技術的内容の変更を有していなければ、本発明の実施可能な範囲内に含まれるものとみなす。
【０００９】
図４に示すように、スライドファスナ１００は互いに対称する２本のファスナテープ１０を備えており、ファスナテープ１０の装着部１のファスナエレメント装着辺１４にはファスナエレメント２０が装着されており、２本のファスナエレメント２０は互いに対応しかつ噛み合うことが可能であり、２本のファスナエレメント２０には２本のファスナエレメント２０を開閉させうるスライダ３０がさらに設けられている。
【００１０】
図１に示すように、本発明が提供したファスナテープ１０はファスナエレメント２０を装着するための装着部１、布地を縫うための縫い部２を備えており、装着部１と縫い部２の隣接する辺が一体に連結しており、装着部１の縫い部２から遠く離間した辺はファスナエレメント２０を装着するためのファスナエレメント装着辺１４であり、縫い部２は平織り組織である。縫い部２を平織り組織とすることによってファスナテープ１０により優れた剛性を付与することができる。上記の方法で編んだファスナテープ１０を布地に縫うことにより布地の褶曲現象を改善し、布地に褶曲が生じることを防ぐことができる。
【００１１】
図２に示すように、ファスナテープ１０全体の美しさを高めるために、ファスナテープ１０はさらに端部３を備えており、端部３が縫い部２の装着部１から遠く離間した側に位置しており、端部３と縫い部２の隣接する辺が一体に連結している。
【００１２】
縫い部２の剛性が大きすぎると、ファスナテープ１０全体の剛性が過度に大きくなる。これを防止してファスナテープ１０の柔軟性を維持し、スライダ３０によりファスナエレメント２０を開閉する際の滑らかさに大きな影響を与えないようにするために、下記のようにいくつかの方法で縫い部２を制限することができる。
【００１３】
１）縫い部２のファスナエレメント装着辺１４とは垂直な方向における幅は、ファスナテープ１０のファスナエレメント装着辺１４とは垂直な方向における幅の５０％未満である。
２）縫い部２のファスナエレメント装着辺１４とは垂直な方向における幅が、装着部１のファスナエレメント装着辺１４とは垂直な方向における幅よりも小さい。
３）縫い部２の経糸２１の直径が緯糸２２の直径よりも大きく、より好ましくは縫い部２の経糸２１の直径が緯糸２２の直径の１．５倍から３倍である。
４）ファスナテープ１０にさらに端部３が設けられている場合に、装着部１、縫い部２および端部３は、ファスナエレメント装着辺１４とは垂直な方向に沿う幅の割合が５：４：３となっている。
【００１４】
上記４つの制限条件は単独で使用してもよく、また組み合わせて使用してもよい。上記制限条件を満たす縫い部２は、縫い部２の剛性を合理的な範囲内に維持し、布地に褶曲が生じることを防ぐ効果をファスナテープ１０にもたせるとともに、ファスナテープ１０の柔軟性を維持し、スライダ３０によりファスナエレメント２０を開閉する際の滑らかさに大きな影響を与えないようにすることができる。
【００１５】
図３に示すように、装着部１は３種類の実施方法がある。具体的には以下のとおりである。
【００１６】
１つ目の実施方法として、装着部１を綾織り組織とする。
【００１７】
２つ目の実施方法として、装着部１は装着部縫製セグメント１１、装着部中間セグメント１２を備えており、装着部中間セグメント１２、装着部縫製セグメント１１が縫い部２から遠く離間した方向に沿って順次配列されており、装着部中間セグメント１２と装着部縫製セグメント１１、縫い部２との間における隣接する辺が一体に連結しており、ファスナエレメント装着辺１４が装着部縫製セグメント１１の装着部中間セグメント１２から遠く離間した辺に設けられており、装着部縫製セグメント１１は綾織り組織であり、装着部中間セグメント１２は平織り組織である。
【００１８】
３つ目の実施方法として、装着部１は装着部縫製セグメント１１、装着部中間セグメント１２、装着部遷移セグメント１３を備えており、装着部遷移セグメント１３、装着部中間セグメント１２、装着部縫製セグメント１１が縫い部２から遠く離間した方向に沿って順次配列されており、装着部縫製セグメント１１、装着部中間セグメント１２、装着部遷移セグメント１３、縫い部２の間の隣接する辺が一体に連結しており、ファスナエレメント装着辺１４が装着部縫製セグメント１１の装着部中間セグメント１２から遠く離間した辺に設けられており、装着部縫製セグメント１１は綾織り組織であり、装着部中間セグメント１２は平織り組織であり、装着部遷移セグメント１３は変化組織である。ここで、装着部遷移セグメント１３の変化組織の編み方は〔１／１、１／１、２／２、２／２、２／２、２／２、１／１、１／１〕となっている。
【００１９】
上記装着部１の装着部縫製セグメント１１または装着部１全体を綾織り組織に設定することによりファスナエレメント２０を容易に装着部１に縫うことができる。装着部中間セグメント１２を平織り組織とすることにより経糸と緯糸の位置ズレを防ぐことができる。また、装着部遷移セグメント１３として変化組織を採用することにより装着部中間セグメント１２と縫い部２との間の遷移を容易にすることができる。
【００２０】
図３に示すように、端部３は２種類の実施方法がある。具体的には以下のとおりである。
【００２１】
１つ目の実施方法として、端部３を平織り組織とする。
【００２２】
２つ目の実施方法として、端部３は端部エッジセグメント３１および端部遷移セグメント３２を備えており、端部遷移セグメント３２が縫い部２と端部エッジセグメント３１との間に位置しており、端部遷移セグメント３２は、縫い部２、端部エッジセグメント３１の隣接する辺と一体に連結しており、端部遷移セグメント３２は変化組織であり、端部エッジセグメント３１は平織り組織である。ここで、端部遷移セグメント３２の変化組織の編み方は〔１／１、２／２、２／２、２／２、２／２、２／２、２／２、２／２、２／２、１／１、１／１〕である。
【００２３】
上記端部３の端部エッジセグメント３１または端部３全体を平織り組織に設定することにより、例えば位置ずれが発生しないなど、端部３をより美しく見せることができる。また、端部遷移セグメント３２を変化組織に設定することにより端部エッジセグメント３１と縫い部２との間の遷移を容易にすることができる。
【００２４】
上記実施例における経糸の延伸方向がファスナエレメント装着辺１４の延伸方向に平行であり、緯糸がファスナエレメント装着辺１４とは垂直な方向へ延伸している。図３に示すように、符号２１は縫い部２の経糸であり、符号２２は縫い部２の緯糸である。
【００２５】
図４に示すように、本発明はさらにスライドファスナに係わり、スライドファスナ１００は互いに対称な２本のファスナテープ１０を備えており、ファスナテープ１０の装着部１のファスナエレメント装着辺１４にはファスナエレメント２０が装着されており、２本のファスナエレメント２０は互いに対応しかつ噛み合うことが可能であり、２本のファスナエレメント２０には２本のファスナエレメント２０を開閉させうるスライダ３０がさらに設けられている。
【００２６】
本発明はさらにスライドファスナが固定された布地に係わり、布地には上記スライドファスナ１００が固定されており、縫い部２と布地は互いに重なっておりかつ縫い糸によって縫い合わせられており、ファスナテープ１０の最大厚さは布地の厚さの６〜１４倍である。ここで、ファスナテープ１０の最大厚さとは、ファスナテープ１０を平らに置いた場合のファスナテープ１０の上下面とは垂直な方向のファスナテープ１０の上下面の相対距離の最大値であり、布地の厚さとは、布地を平らに置いた場合の布地の上下面とは垂直な方向の布地の上下面の相対距離である。ファスナテープ１０の最大厚さを布地の厚さの６〜１４倍の範囲内とすることによってスライドファスナ１００を布地に取り付けた後布地に褶曲が生じることを効果的に防ぐことができる。
【００２７】
上記をまとめると、本発明のファスナテープ、スライドファスナ、およびスライドファスナが固定された布地では、そのファスナテープの装着部と縫い部が異なる編み方を採用しており、縫い部を平織り組織とすることにより、経糸と緯糸の位置ズレを防ぐと同時に、ファスナテープの剛性を高めており、これにより上記ファスナテープを有するスライドファスナを布地に縫った後に、布地に褶曲が生じることを効果的に防ぐことができる。したがって、本発明は、従来の技術におけるさまざまな欠点を効果的に克服しており、高度な産業上の利用価値を有している。
【００２８】
上記実施例は、本発明の原理および効果を例示的に説明するためのものにすぎず、本発明を制限するためのものではない。当業者は本発明の精神および範囲に違反せずに上記実施例を修正または変更することができる。したがって、当業者が本発明にて開示された精神および技術的思想から離脱せずに完成した全ての等価的な修正または変更は本発明の特許請求の範囲に含まれる。
【符号の説明】
【００２９】
１００  スライドファスナ
１０    ファスナテープ
１      装着部
１１    装着部縫製セグメント
１２    装着部中間セグメント
１３    装着部遷移セグメント
１４    ファスナエレメント装着辺
２      縫い部
２１    縫い部経糸
２２    縫い部緯糸
３      端部
３１    端部エッジセグメント
３２    端部遷移セグメント
２０    ファスナエレメント
３０    スライダ
【図１】
2016209587.tif 000003
【図２】
2016209587.tif 000004
【図３】
2016209587.tif 000005
【図４】
2016209587.tif 000006